(57)【特許請求の範囲】
【請求項１】
箱状で下面に吸込口を有し、上面に吐出口を設けた本体と、この本体の内部に前記吸込口より吸い込み吐出口より吐出するように設けられたファンモーターと、前記本体の左右の側部下方に設けられる後方に向かい下降する傾斜面を形成した側板とを備え、前記本体の下面に沿う形状の水平部と前記側板の傾斜面に沿う形状の傾斜部とを有し、前方と側方に吸気口が形成され上面には前記本体との間に吸気流路が形成されるように設けられる整流板を備えたレンジフードにおいて、前記側板の傾斜面の高さ位置より本体側寄りに前記整流板の傾斜部を配設したレンジフード。
【請求項２】
箱状で下面に吸込口を有し、上面に吐出口を設けた本体と、この本体の内部に前記吸込口より吸い込み吐出口より吐出するように設けられたファンモーターと、前記本体の左右の側部下方に設けられる後方に向かい下降する傾斜面を形成した側板とを備え、前記本体の下面に沿う形状の水平部と前記側板の傾斜面に沿う形状の傾斜部とを有し、前方と側方に吸気口が形成され上面には前記本体との間に吸気流路が形成されるように設けられる整流板を備えたレンジフードにおいて、前記本体に設けられた前記側板の傾斜面の位置に前記整流板の傾斜部が略合致するように構成したレンジフード。
【請求項３】
箱状で下面に吸込口を有し、上面に吐出口を設けた本体と、この本体の内部に前記吸込口より吸い込み吐出口より吐出するように設けられたファンモーターと、前記本体の左右の側部下方に設けられる後方に向かい下降する傾斜面を形成した側板とを備え、前記本体の下面に沿う形状の水平部と前記側板の傾斜面に沿う形状の傾斜部とを有し、前方と側方に吸気口が形成され上面には前記本体との間に吸気流路が形成されるように設けられる整流板を備えたレンジフードにおいて、前記本体に設けられた前記側板の傾斜面の位置より反前記本体側に前記整流板の傾斜部を配設したレンジフード。
【請求項４】
側板の下方に形成された傾斜面と略同一の傾斜で、本体に設けた吸込口に油煙を案内するガイド板を前記側板間に設けた請求項１、２または３記載のレンジフード。
【請求項５】
本体の下面に吸込口を形成する下面パネルを、側板の傾斜面と略同一の傾斜で前記吸込口に油煙を案内するガイド板を形成するように設けた請求項４記載のレンジフード。
【請求項６】
整流板の傾斜部の下端部に油受けを設けた請求項１〜５のいずれかに記載のレンジフード。
【発明の詳細な説明】
【０００１】
【発明の属する技術分野】
本発明は、調理時にレンジ側から発生し上昇する油煙を屋外へ排出するレンジフードに関する。
【０００２】
【従来の技術】
近年、家庭において調理する機会が多くなり、調理時に発生した油煙を屋外に排出するレンジフードの普及にともない、より捕集性の高いレンジフードに対する要求が高まってきている。
【０００３】
従来、この種のレンジフードの一例として図１２および図１３に示されるものが知られていた。以下、その構成について図１２および図１３を参照しながら説明する。
【０００４】
図に示すように、ファン１０１および下広がり状の側面を有する流路形成部材１０２をフード本体１０３の内部に設け、流路形成部材１０２をファン１０１の下方に配置し、流路形成部材１０２の周部に吸込路１０４を形成した家庭用レンジフードにおいて、流路形成部材１０２を下広がり状の側面を有する上向き凸状の上壁部と、水平または下向き凸状の底壁部を備えた中空状に形成し、流路形成部材１０２の下端をフード本体１０３の下端よりも上方に配置してレンジフードを構成していた。
【０００５】
【発明が解決しようとする課題】
このような従来のレンジフードでは、流路形成部１０２の下端がフード本体１０３の下端より上方の奥深い位置に配置しているため、フード本体１０３の周縁部においては、フード本体１０３の外方から内部に向かう吸気風速は小さいため、レンジ（図示せず）において調理時に発生する油煙は上昇するにともない広がり、広がった油煙をフード本体１０３内に吸い込むことができなく室内に放散されることとなり捕集効率が悪いという課題があった。
【０００６】
本発明は上記課題を解決するもので、レンジ側から発生する油煙等の捕集効率の良いレンジフードを提供することを目的とする。
【０００７】
【課題を解決するための手段】
本発明のレンジフードにおいては、箱状で下面に吸込口を有し、上面に吐出口を設けた本体と、この本体の内部に前記吸込口より吸い込み吐出口より吐出するように設けられたファンモーターと、前記本体の左右の側部下方に設けられる後方に向かい下降する傾斜面を形成した側板とを備え、前記本体の下面に沿う形状の水平部と、前記側板の傾斜面に沿う形状の傾斜部とを有し、前方と側方に吸気口が形成され上面には前記本体との間に吸気流路が形成されるように設けられる整流板を備えたレンジフードにおいて、前記側板の傾斜面の高さ位置より本体側寄りに整流板の傾斜部を配設した構成としたものである。
【０００８】
この本発明によれば、レンジ側から発生する油煙等の捕集効率の良いレンジフードを提供することができる。
【０００９】
【発明の実施の形態】
本発明の請求項１に記載の発明は、箱状で下面に吸込口を有し、上面に吐出口を設けた本体と、この本体の内部に前記吸込口より吸い込み吐出口より吐出するように設けられたファンモーターと、前記本体の左右の側部下方に設けられる後方に向かい下降する傾斜面を形成した側板とを備え、前記本体の下面に沿う形状の水平部と前記側板の傾斜面に沿う形状の傾斜部とを有し、前方と側方に吸気口が形成され、上面には前記本体との間に吸気流路が形成されるように設けられる整流板を備えたレンジフードにおいて、前記側板の傾斜面の高さ位置より本体側寄りに整流板の傾斜部を配設した構成としたものであり、レンジ側から発生し上昇した油煙は整流板の下面に衝突したのち側方の吸気口に吸気されるとともに、整流板に沿い移動した油煙も風速の大きい前方の吸気口より吸気され吸気流路を介して吸込口に吸い込まれ排出されることとなり、油煙の捕集効率が高められるという作用を有する。
【００１０】
以下、本発明の実施の形態について図１〜図１１を参照しながら説明する。
【００１１】
（実施の形態１）
図１〜図３に示すように、箱状で下面に吸込口１を有し、上面に屋外と連通するダクト２の接続される排気アダプター３を設けた吐出口４を形成した本体５の内部に吸込口１より油煙を吸い込み、吐出口４より吐出するように設けられるファンモーター６を設け、本体５の左右の側部下方に設けられる後方に向かい下降する傾斜面７を形成した側板８とを設け、本体５の下面に沿う形状の水平部９と側板８の傾斜面７に沿う形状の傾斜部１０とを有し、本体５の幅より狭く前方と側方に吸気口１１が形成され、上面には本体５との間に吸気流路１２が形成される整流板１３を設け、整流板１３の下端部には油受け１４を設け、側板８の傾斜面７の高さ位置より本体５側寄りに整流板１３の傾斜部１０を配設し、レンジ１５の上方に設置したレンジフードを構成する。
【００１２】
上記構成において、レンジ１５の使用時にレンジフードを運転するとファンモーター６が駆動され、調理時にレンジ１５側から発生した油煙が上昇し、整流板１３に衝突したり、整流板１３の側方に形成された吸気口１１より直接吸気されるとともに、整流板１３に衝突した油煙は、整流板１３の傾斜部１０に沿い上昇しながら水平部９側に移動し、本体５の後方側より、本体５との間隔が狭くなり吸い込み風速が大きくなっている整流板１３の前方側寄りの吸気口１１に順次吸気され、吸気通路１２を通った油煙は本体の吸込口１より本体５内に吸い込まれ、吐出口４よりダクト２を介して屋外に排出されることとなる。
【００１３】
そして、レンジフードに捕集された油煙の一部が吸気流路１２を形成する本体５の下面部や整流板１３の上面に付着し、整流板１３の傾斜部１０を伝って油受けに回収されることとなる。
【００１４】
このように本発明の実施の形態１のレンジフードによれば、箱状で下面に吸込口１を有し上面に吐出口４を設けた本体５の内部に吸込口１より油煙を吸込み吐出口４より吐出するようにファンモーター６を設け、本体５の左右の側部下方に設けられる後方に向かい下降する傾斜面７を形成した側板８とを設け、本体５の下面に沿う形状の水平部９と側板８の傾斜面７に沿う形状の傾斜部１０とを有し、前方と側方に吸気口１１が形成され上面には本体５との間に吸気流路１２が形成されるように設けられる整流板１３を備え、側板８の傾斜面７の高さ位置より本体５側に整流板１３の傾斜部１０を配設したので、後方側より前方側の吸気口１１の吸い込み風速が大きくなり、整流板１３の前方側に上昇してきた油煙を吸い込むとともに、整流板１３の後方側に上昇した油煙も傾斜部１０により前方側に誘導し効果的に吸い込み、排出することができる。
【００１５】
また、整流板１３の傾斜部１０の下端部に油受け１４を設けたので、吸気流路１２に吸気された油煙が付着する整流板１３に付着した油煙がスムーズに回収され掃除が簡単となる。
【００１６】
（実施の形態２）
図４および図５に示すように、本体５に設けられた側板８の傾斜面７の位置に整流板１３Ａの傾斜部１０Ａが略合致するように構成する。その他の構成については実施の形態１と同一であり、省略する。
【００１７】
上記構成において、ファンモーター６が駆動されると、整流板１３Ａの傾斜部１０Ａが実施の形態１に比較して本体５の下面側に近づくことにより、傾斜部１０Ａ側の吸気流路１２Ａが狭くなって傾斜部１０Ａに対応する吸気口１１の吸い込み風速が大きくなり、後方側の油煙の吸い込み量が増加し、全体的に吸い込みバランスが良くなり、整流板１３Ａの側方と前方に形成される吸気口１１よりバランス良く油煙が吸い込まれることとなる。
【００１８】
このように本発明の実施の形態２のレンジフードによれば、本体５に設けられた側板８の傾斜面７の位置に整流板１３Ａの傾斜部１０Ａが略合致するように構成したので、前方側と後方側の油煙の吸い込み量のバランスが良くなり、吸気口１１全体からスムーズに油煙を吸気して排出することができる。
【００１９】
（実施の形態３）
図６および図７に示すように、本体５に設けられた側板８の傾斜面７の位置より反本体５側に整流板１３Ｂの傾斜部１０Ｂを配設した構成とする。その他の構成については実施の形態１と同一であり、省略する。
【００２０】
上記構成において、ファンモーター６が駆動されると整流板１３Ｂの傾斜部１０Ｂが側板８の傾斜面７より下方に突出する形となり、吸気口１１Ａが外側に向いた斜めの開口となり、整流板１３Ｂの傾斜部１０Ｂの両側部に形成される吸気口１１Ａの吸い込み範囲が大きくなるとともに、吸い込み風速のベクトルが外側から内側に向き、本体５の外方側に向かう油煙が吸気口１１Ａに引き込まれるように吸い込まれて排出されることとなる。
【００２１】
このように本発明の実施の形態３のレンジフードによれば、本体５に設けられた側板８の傾斜面７の位置より反本体５側に整流板１３Ｂの傾斜部１０Ｂを配設したので、整流板１３Ｂの傾斜部１０Ｂに対応する吸気口１１Ａが斜め外方に向くこととなり吸気範囲が増加し、本体５の外方側に向かう油煙が吸い込まれ油煙の捕集性能の向上を図ることができる。
【００２２】
（実施の形態４）
図８および図９に示すように、側板８Ａの下方に形成された傾斜面７Ａと略同一の傾斜で本体５に設けた吸込口１に油煙を案内するガイド板１６を側板８Ａ間に設けた構成とする。その他の構成については実施の形態３と同一であり、省略する。
【００２３】
上記構成において、ファンモーター６が駆動されると、ガイド板１６により本体５と整流板１３Ｃ間に形成される吸気流路１２Ｃが略一定の空間で形成され、前方側と後方側の吸い込み速度が均等となりバランス良く油煙が吸い込まれ排出されることとなる。
【００２４】
このように本発明の実施の形態４のレンジフードによれば、側板８Ａの下方に形成された傾斜面７Ａと略同一の傾斜で本体５に設けられた吸込口１に油煙を案内するガイド板１６を側板８Ａ間に設けたので、前方側と後方側の吸気流路１２Ｃが略一定となり、油煙の捕集性がより高められる。
【００２５】
（実施の形態５）
図１０および図１１に示すように、本体５Ａの下面に吸込口１を形成する下面パネル１７の後方側を側板８Ｂの傾斜面７Ａと略同一の傾斜で吸込口１に油煙を案内するガイド１６Ａを形成するように絞り、ガイド１６Ａに油溜１８を構成する。その他の構成については、実施の形態３と同一であり省略する。
【００２６】
上記構成において、ファンモーター６が駆動されると、下面パネル１７により形成されたガイド板１６Ａにより本体５Ａと整流板１３Ｃ間に形成される吸気流路１２Ｃが略一定の空間で形成され、前方側と後方側の吸い込み速度が略均等となり、バランス良く油煙が吸い込まれ排出されることとなる。
【００２７】
このように本発明の実施の形態５のレンジフードによれば、本体５Ａの下面に吸込口１を形成する下面パネル１７を、側板８Ｂの傾斜面７Ａと略同一の傾斜で吸込口１に油煙を案内するガイド板１６Ａを形成するように設けたので、前方側と後方側の吸気流路１２Ｃが略一定となり油煙の捕集性が高められるとともに、ガイド板１６Ａを本体５Ａの下面パネル１７を利用して形成していることにより、別個にガイド板を必要とすることがなく、また、ガイド板１７Ａにより本体５Ａの下面に付着する油煙をスムーズに一定の個所に導き回収することができる。
【００２８】
【発明の効果】
以上の実施例から明らかなように本発明によれば、箱状で下面に吸込口を有し、上面に吐出口を設けた本体と、この本体の内部に前記吸込口より吸い込み吐出口より吐出するように設けられたファンモーターと、前記本体の左右の側部下方に設けられる後方に向かい下降する傾斜面を形成した側板とを備え、前記本体の下面に沿う形状の水平部と前記側板の傾斜面に沿う形状の傾斜部とを有し、前方と側方に吸気口が形成され上面には前記本体との間に吸気流路が形成されるように設けられる整流板を備えたレンジフードにおいて、前記側板の傾斜面の高さ位置より本体側寄りに整流板の傾斜部を配設したので、後方側より前方側の吸気口の吸い込み風速が大きくなり、整流板に沿い前方に誘導された油煙を効率良く捕集することができるレンジフードを提供することができる。
【００２９】
また、本体に設けられた側板の傾斜面の位置に整流板の傾斜部が略合致するように構成したので、前方側と後方側の油煙の吸い込み量のバランスが良くなり油煙の捕集効率が向上する。
【００３０】
また、本体に設けられた側板の傾斜面の位置より反本体側に整流板の傾斜部を配設したので、吸気範囲が外方側に広がり、外方に向かおうとする油煙がスムーズに吸い込まれ捕集効率が向上する。
【００３１】
また、側板の下方に形成された傾斜面と略同一の傾斜で本体に設けた吸込口に油煙を案内するガイド板を前記側板間に設けたので、前方側と後方側の油煙の吸い込速度が均等になって捕集性が高められる。
【００３２】
また、本体の下面に吸込口を形成する下面パネルを、側板の傾斜面と略同一の傾斜で前記吸込口に油煙を案内するガイド板を形成するように設けたので、前方側と後方側の油煙の吸い込み速度が均等になって捕集性が高められるとともに、本体の下面に付着する油煙を一定の個所にスムーズに回収できる。
【００３３】
また、整流板の傾斜部の下端部に油受けを設けたので、整流板に付着した油煙を傾斜部によってスムーズに導き回収することができる。
【図面の簡単な説明】
【図１】本発明の実施の形態１のレンジフードの断面図
【図２】同レンジフードの正面図
【図３】同レンジフードをレンジの上方に設置した状態を示す側面図
【図４】本発明の実施の形態２のレンジフードの断面図
【図５】同レンジフードの正面図
【図６】本発明の実施の形態３のレンジフードの断面図
【図７】同レンジフードの正面図
【図８】本発明の実施の形態４のレンジフードの断面図
【図９】同レンジフードの整流板を取り外した状態を示す斜視図
【図１０】本発明の実施の形態５のレンジフードの断面図
【図１１】同レンジフードの整流板を取り外した状態を示す斜視図
【図１２】従来のレンジフードの正面図
【図１３】同レンジフードの断面図
【符号の説明】
１      吸込口
４      吐出口
５      本体
５Ａ    本体
６      ファンモーター
７      傾斜面
７Ａ    傾斜面
８      側板
８Ａ    側板
８Ｂ    側板
９      水平部
１０    傾斜部
１０Ａ  傾斜部
１０Ｂ  傾斜部
１１    吸気口
１２    吸気流路
１３    整流板
１３Ａ  整流板
１３Ｂ  整流板
１４    油受け
１６    ガイド板
１６Ａ  ガイド板
１７    下面パネル
【図１】
0003786821.tif 000002
【図２】
0003786821.tif 000003
【図３】
0003786821.tif 000004
【図４】
0003786821.tif 000005
【図５】
0003786821.tif 000006
【図６】
0003786821.tif 000007
【図７】
0003786821.tif 000008
【図８】
0003786821.tif 000009
【図９】
0003786821.tif 000010
【図１０】
0003786821.tif 000011
【図１１】
0003786821.tif 000012
【図１２】
0003786821.tif 000013
【図１３】
0003786821.tif 000014